(57)【特許請求の範囲】
【請求項１】
毛髪化粧料を収容する容器体に板状の櫛歯を有する櫛体を設け、その櫛歯の幅方向をコーミングの際の櫛体の操作方向に一致させるとともに、容器体内の毛髪化粧料を吐出する吐出口を櫛歯に開口形成し、吐出口と容器体内部との間を連通する連通路を櫛歯の内部に穿設した櫛付き容器であって、
前記連通路の断面形状及び断面積が毛髪化粧料の流通方向においてほぼ不変であるとともに、櫛歯の幅方向における連通路の長さが櫛歯の厚み方向における連通路の長さよりも大きく、前記連通路の断面積が１．５〜２．８ｍｍ2であることを特徴とする櫛付き容器。
【請求項２】
前記毛髪化粧料は、用時に混合される複数の剤を含んで構成される酸化染毛剤又は毛髪脱色・脱染剤であり、その剤の少なくとも一つが粉末状組成物である請求項１に記載の櫛付き容器。
【請求項３】
前記粉末状組成物が過硫酸塩と水溶性高分子化合物の少なくとも一方を含有する請求項２に記載の櫛付き容器。
【請求項４】
前記毛髪化粧料は、用時に混合される第１剤と第２剤とを少なくとも含んで構成される酸化染毛剤又は毛髪脱色・脱染剤であり、その第１剤と第２剤がともに水中油滴型（Ｏ／Ｗ型）乳化物である請求項１に記載の櫛付き容器。
【請求項５】
前記第１剤の粘度が８０００〜１０００００センチポアズ（ｃｐｓ）、第２剤の粘度が５０００センチポアズ以下である請求項４に記載の櫛付き容器。
【請求項６】
前記第１剤が５重量％以上の高級アルコールを含む水中油滴型乳化物である請求項５に記載の櫛付き容器。
【発明の詳細な説明】
【０００１】
【発明の属する技術分野】
本発明は、毛髪化粧料を収容する容器体に櫛体が設けられた櫛付き容器に関するものである。
【０００２】
【従来の技術】
従来のこの種の櫛付き容器としては、例えば図６に示すような構成のものが知られている。同図に示す櫛付き容器２１においては、櫛体２２の櫛歯２３に開口形成された吐出口２４と容器体２５内部との間が、櫛歯２３の内部に穿設された連通路２６などを介して連通しており、容器体２５をスクイズすると容器体２５内の毛髪化粧料が吐出口２４から吐出されるようになっている。連通路２６の断面形状は、図６（ｂ）に示すように真円形であり、この連通路２６の断面形状及び断面積は毛髪化粧料の流通方向においてほぼ不変となっている。
【０００３】
【発明が解決しようとする課題】
ところが、上記の従来構成の場合には、毛髪化粧料が連通路２６に詰まって使用に支障をきたすおそれがあった。特に、粘度の高い毛髪化粧料を使用した場合にその傾向が大きくなるため、白髪染めなど、ある程度高い粘度が要求される毛髪化粧料の場合には櫛付き容器２１への適用が制限されることがあった。
【０００４】
連通路２６の詰まりを抑える方法としては、毛髪化粧料が連通路２６を流通しやすいように連通路２６の内径を大きくして断面積を大きくすることが考えられる。しかし、連通路２６の内径を大きくすると、それに伴って櫛歯２３の厚みが大きくなり、その結果、コーミングの際の抵抗が大きくなって櫛通りが悪くなるという問題があった。
【０００５】
本発明は、上記のような従来技術に存在する問題点に着目してなされたものである。その目的とするところは、櫛通りを良好に維持しつつ、連通路の詰まりを抑制することができる櫛付き容器を提供することにある。
【０００６】
【課題を解決するための手段】
上記の目的を達成するために、請求項１に記載の発明は、毛髪化粧料を収容する容器体に板状の櫛歯を有する櫛体を設け、その櫛歯の幅方向をコーミングの際の櫛体の操作方向に一致させるとともに、容器体内の毛髪化粧料を吐出する吐出口を櫛歯に開口形成し、吐出口と容器体内部との間を連通する連通路を櫛歯の内部に穿設した櫛付き容器であって、前記連通路の断面形状及び断面積が毛髪化粧料の流通方向においてほぼ不変であるとともに、櫛歯の幅方向における連通路の長さが櫛歯の厚み方向における連通路の長さよりも大きく、前記連通路の断面積が１．５〜２．８ｍｍ2であることを要旨とする。
【０００７】
請求項２に記載の発明は、請求項１に記載の櫛付き容器において、前記毛髪化粧料は、用時に混合される複数の剤を含んで構成される酸化染毛剤又は毛髪脱色・脱染剤であり、その剤の少なくとも一つが粉末状組成物であることを要旨とする。
【０００８】
請求項３に記載の発明は、請求項２に記載の櫛付き容器において、前記粉末状組成物が過硫酸塩と水溶性高分子化合物の少なくとも一方を含有することを要旨とする。
【０００９】
請求項４に記載の発明は、請求項１に記載の櫛付き容器において、前記毛髪化粧料は、用時に混合される第１剤と第２剤とを少なくとも含んで構成される酸化染毛剤又は毛髪脱色・脱染剤であり、その第１剤と第２剤がともに水中油滴型乳化物であることを要旨とする。
【００１０】
請求項５に記載の発明は、請求項４に記載の櫛付き容器において、前記第１剤の粘度が８０００〜１０００００センチポアズ（ｃｐｓ）、第２剤の粘度が５０００センチポアズ以下であることを要旨とする。
【００１１】
請求項６に記載の発明は、請求項５に記載の櫛付き容器において、前記第１剤が５重量％以上の高級アルコールを含む水中油滴型乳化物であることを要旨とする。
【００１２】
【発明の実施の形態】
以下、本発明を具体化した一実施形態を図面に基づいて詳細に説明する。
図１は本実施形態における櫛付き容器１１を示す斜視図、図２は同じく櫛付き容器１１を示す要部断面図である。これらの図に示すように、櫛付き容器１１は、毛髪化粧料を収容する有底円筒状の容器体１２と、その容器体の上端部に螺合関係によって取付けられて容器体１２の上端開口部を閉鎖する蓋体１３とから構成されている。
【００１３】
蓋体１３は、円筒状の蓋本体１３ａの上部に櫛体１４が連設されてなる。櫛体１４には、上方に向かって延出された１０枚の櫛歯１５が備えられている。各櫛歯１５は略三角形板状に形成され、コーミングの際の櫛体１４の操作方向と櫛歯１５の幅方向とが一致するようにして一列に並設されている。尚、櫛歯１５の数は、操作性の点から５〜１０枚が好ましい。
【００１４】
左右両端に位置する２枚ずつの櫛歯１５を除いた各櫛歯１５、すなわち中央に位置する６枚の櫛歯１５には、容器体１２内に収容される毛髪化粧料を吐出する吐出口１６が開口形成されている。この吐出口１６は、櫛歯１５の内部に穿設された連通路１７によって容器体１２内部に連通されている。
【００１５】
図３（ａ）及び（ｂ）に示すように、連通路１７の断面形状は楕円形であり、その長軸方向が櫛歯１５の幅方向に一致し、短軸方向が櫛歯１５の厚み方向に一致している。この連通路１７の断面形状及び断面積は、毛髪化粧料の流通方向、すなわち図２における上下方向においてほぼ不変である。連通路１７の断面積は、好ましくは１．５〜２．８ｍｍ2、より好ましくは１．７〜２．２ｍｍ2、特に好ましくは１．８〜２．０ｍｍ2に設定される。断面積が１．５ｍｍ2より小さいと、特に高粘度の毛髪化粧料の場合に吐出させるのがやや困難となるのに加え、粉末状組成物を含んで構成される毛髪化粧料の場合に溶け残った粉末粒子が連通路１７に詰まって吐出させるのが困難となるおそれがある。一方、２．８ｍｍ2を超えると必要量以上の毛髪化粧料が吐出口１６から吐出されるおそれがある。
【００１６】
櫛歯１５の厚み方向における連通路１７の長さ（内径Ｄ１）は、好ましくは１．０〜１．７ｍｍ、より好ましくは１．１〜１．５ｍｍ、さらに好ましくは１．２〜１．３ｍｍに設定される。内径Ｄ１が１．０ｍｍより小さいと、特に高粘度の毛髪化粧料の場合に吐出させるのがやや困難となるのに加え、粉末状組成物を含んで構成される毛髪化粧料の場合に溶け残った粉末粒子が連通路１７に詰まって吐出させるのが困難となるおそれがある。一方、１．７ｍｍを超えると櫛歯１５の厚みが大きくなってコーミングの際の櫛通りが悪くなるおそれがある。
【００１７】
尚、本実施形態の櫛付き容器１１において、櫛歯１５の厚み方向における連通路１７の内径Ｄ１は１．２ｍｍ、櫛歯１５の幅方向における連通路１７の内径（長さ）は２．０ｍｍで、連通路１７の断面積は１．８ｍｍ2である。
【００１８】
一方、吐出口１６の形状は真円形であり（図２（ｂ）参照）、その孔径Ｄ２は、好ましくは２．０〜２．８ｍｍ、より好ましくは２．２〜２．６ｍｍ、さらに好ましくは２．３〜２．５ｍｍに設定される。この孔径Ｄ２が、２．８ｍｍを超えると液垂れするおそれがある。
【００１９】
上記のように構成された櫛付き容器１１を用いて毛髪化粧料を髪に塗布する場合には、容器体１２の胴部をスクイズして、容器体１２内の毛髪化粧料を連通路１７を経て吐出口１６から吐出させつつ、櫛体１４を櫛歯１５の幅方向に沿って操作して髪をコーミングする。
【００２０】
次に、上記櫛付き容器１１の容器体１２内に収容される毛髪化粧料について説明する。
容器体１２内に収容される毛髪化粧料としては、酸化染毛剤、酸性染毛料、毛髪脱色・脱染剤等の染毛料のほか、シャンプー、リンス、整髪剤、パーマ剤、トリートメント剤、ラメ等が挙げられる。毛髪化粧料の剤型は流動性を有する限り特に限定されるものではなく、ジェル状、ゲル状、クリーム状、ペースト状等の粘稠なものでも、液状のものでもよい。また、毛髪化粧料は一剤式のものでもよいし、第１剤と第２剤とからなる二剤式、第１剤と第２剤と第３剤とからなる三剤式など、用時に混合される複数の剤を含んで構成されるものでもよい。
【００２１】
例えば、二剤式の酸化染毛剤の場合、第１剤には酸化染料中間体などの染料、アルカリ剤等を配合したものが用いられ、第２剤には過酸化水素などの酸化剤等を配合したものが用いられる。第１剤の剤型は、クリーム状、液状、粉末状など特に限定されない。
【００２２】
また、二剤式の毛髪脱色・脱染剤の場合、第１剤には前記酸化染毛剤の第１剤から染料を除いたものが用いられ、第２剤には前記酸化染毛剤の第２剤と同成分のものが用いられる。また、この毛髪脱色・脱染剤の場合も第１剤の剤型はクリーム状、液状、粉末状など特に限定されず、第１剤が粉末状組成物である場合には過硫酸ナトリウム、過硫酸カリウム、過硫酸アンモニウムなどの過硫酸塩が酸化促進剤として第１剤に配合される。酸化促進剤の配合量は、毛髪化粧料全体の１〜５０重量％となる量が好ましく、５〜２０重量％となる量がより好ましい。
【００２３】
三剤式の毛髪脱色・脱染剤の場合、第１剤には前記酸化染毛剤の第１剤から染料を除いたものが用いられ、第２剤には前記酸化染毛剤の第２剤と同成分のものが用いられ、第３剤には過硫酸ナトリウムなどの過硫酸塩等を酸化促進剤として配合した粉末状組成物が用いられる。第３剤に配合される酸化促進剤の配合量は、毛髪化粧料全体の１〜５０重量％となる量が好ましく、５〜２０重量％となる量がより好ましい。
【００２４】
以上例示した各毛髪化粧料における粉末状組成物には、水溶性高分子化合物を配合してもよい。この水溶性高分子化合物の具体例としては、キサンタンガム、グアーガム、コンドロイチン硫酸ナトリウム、アルギン酸ナトリウム、ヒアルロン酸ナトリウム、トラガントガム、ローカストビーンガム、エチルセルロース、メチルセルロース、ヒドロキシエチルセルロース、ヒドロキシプロピルセルロース、ヒドロキシプロピルメチルセルロース、カルボキシメチルセルロースナトリウム、ヒドロキシエチルセルロースジメチルジアリルアンモニウムクロリド、ヒドロキシエチルセルロースヒドロキシプロピルトリメチルアンモニウムクロリドエーテル、カルボキシビニルポリマー、ポリアクリル酸とその塩類、アクリル酸・メタクリル酸アルキル共重合体、ポリビニルアルコール、ポリビニルピロリドン等が挙げられる。上述の水溶性高分子化合物の中でも、特に、キサンタンガム、グアーガム、トラガントガム、ヒドロキシエチルセルロース、ヒドロキシプロピルセルロース、ヒドロキシプロピルメチルセルロース、カルボキシメチルセルロースナトリウム、ヒドロキシエチルセルロースジメチルジアリルアンモニウムクロリド、ヒドロキシエチルセルロースヒドロキシプロピルトリメチルアンモニウムクロリドエーテルが好ましい。水溶性高分子化合物の配合量は、粉末状組成物の全重量に対して０．１〜２０重量％が好ましく、０．５〜１０重量％がより好ましい。
【００２５】
以上詳述した本実施形態によれば次のような効果が発揮される。
・  櫛歯１５の幅方向における連通路１７の長さ（内径）が櫛歯１５の厚み方向における連通路１７の長さ（内径）よりも大きいため、従来よりも櫛歯１５の厚みを大きくすることなく連通路１７の断面積を大きくすることが可能である。このため、櫛通りを従来のまま良好に維持しつつ、連通路１７の詰まりを抑制することができる。
【００２６】
・  毛髪化粧料を髪に塗布する際に用いられる塗布具として、図７に示すようなノズル式アプリケータ３１が従来より知られている。このノズル式アプリケータ３１は、毛髪化粧料を収容する有底円筒状の容器体３２と、その容器体３２の上端部に螺合関係によって取付けられた蓋体３３とから構成されている。蓋体３３は、円錐形状のノズル３４を一つ備えており、そのノズル３４の先端には毛髪化粧料を吐出する吐出口３５が開口形成されている。ノズル３４の内部に穿設された連通路３６によって吐出口３５と容器体３２内部との間が連通され、容器体３２内に収容される毛髪化粧料は連通路３６を介して吐出口３５から吐出されるようになっている。このノズル式アプリケータ３１の場合、一旦連通路３６が詰まると連通路３６が一つしかないために即使用不能となってしまうという問題があった。しかし、本実施形態の櫛付き容器１１の場合、櫛体１４には１０枚の櫛歯１５が備えられ、そのうちの６枚の櫛歯１５に吐出口１６が設けられている。このため、たとえ一部の櫛歯１５において連通路１７が完全に詰まって毛髪化粧料の吐出が不能となったとしても、他の櫛歯１５の吐出口１６から毛髪化粧料が吐出される限り、すぐに使用に支障をきたすというおそれはない。
【００２７】
・  連通路１７の断面積を１．５〜２．８ｍｍ2に設定することにより、粉末状組成物を含んで構成される毛髪化粧料や高粘度の毛髪化粧料の場合においても、毛髪化粧料の吐出を容易化することができる。また、必要量以上の毛髪化粧料が吐出口１６から吐出されるおそれも少ない。
【００２８】
・  粉末状組成物を含んで構成される毛髪化粧料の場合、溶け残った粉末粒子が連通路１７の詰まりの原因となりうる。また、過硫酸塩が配合される毛髪化粧料の場合には、過硫酸塩が水への溶解性にやや劣るためにどうしても一部の過硫酸塩が溶けずに残ってしまい、これが連通路１７を詰まらせる原因となりうる。水溶性高分子化合物が配合される毛髪化粧料の場合も、水溶性高分子化合物が水性成分と混合すると水を吸収して膨潤するため、これが連通路１７を詰まらせる原因となりうる。しかし、本実施形態の櫛付き容器１１は、連通路１７の断面積が従来に比べて大きく毛髪化粧料が連通路１７を流通しやすいので、上記のような毛髪化粧料の場合においても連通路１７の詰まりを抑制することができる。
【００２９】
・  ところで、高粘度の組成物（第１剤）と、過酸化水素の水溶液あるいは水性エマルジョン（第２剤）とからなり、第１剤と第２剤の粘度差が大きい二剤式の毛髪化粧料の場合、両者を均一に混合することは困難であり、両者を混合しても第１剤が粒状に残ってしまい、これが連通路１７を詰まらせる原因となりうる。特に、第１剤と第２剤が共にＯ／Ｗ型乳化物であり、かつ、第１剤の粘度が８０００〜１０００００センチポアズで第２剤の粘度が５０００センチポアズ以下という場合にその傾向は強く、さらに第１剤が５重量％以上の高級アルコールを含む場合にその傾向は一層強まる。そこで、第１剤と第２剤の粘度を調整して両者の粘度差を小さくすることにより、両者を均一に混合する試みが従来なされているが、両者を混合したときの混合粘度を適切な値に設定することが難しく、良い解決法となっていないのが現状であった。しかし、本実施形態の櫛付き容器１１は連通路１７の断面積が従来に比べて大きく毛髪化粧料が連通路１７を流通しやすいので、上記の毛髪化粧料を粘度調整することなく使用しても連通路１７が詰まるおそれが少ない。
【００３０】
・  連通路１７の詰まりを抑えるために毛髪化粧料の粘度を下げる必要がないので、高粘度の方が効果の高い毛髪化粧料（例えば白髪染め用の染毛料）もそのまま使用することができ、その効果を十分に発揮させることができる。
【００３１】
・  本実施形態の櫛付き容器１１は、容器体１２内の毛髪化粧料を吐出口１６から吐出させつつ櫛体１４で髪をコーミングすることにより、髪に毛髪化粧料を塗布するようになっている。このため、図７に示すノズル式アプリケータ３１に比べ、塗布操作が容易である。
【００３２】
【実施例】
次に、実施例及び比較例を挙げて前記実施形態をさらに具体的に説明する。
（実施例１）
クリーム状の第１剤（粘度約３００００ｃｐｓ）４０ｇと液状の第２剤（粘度約１０００ｃｐｓ）８０ｍｌとが混合されてなる毛髪脱色剤Ａを前記実施形態の櫛付き容器１１を使用して髪に塗布した。この場合、通常のスクイズ操作で容易に脱色剤を吐出させることができて操作性は良好であった。また、塗布使用後の連通路１７には詰まりが認められず、さらに続けて使用しても支障なかった。尚、毛髪脱色剤Ａの第１剤及び第２剤それぞれの組成は表１に示す通りである。また、以下の表中のＰＯＥはポリオキシエチレンを、ＥＤＴＡはエチレンジアミン四酢酸をそれぞれ示す。
【００３３】
【表１】
0004755335.tif 000002
（実施例２）
粉末状の第１剤２０ｇと液状の第２剤（粘度約２０００ｃｐｓ）１００ｍｌとが混合されてなる毛髪脱色剤Ｂを前記実施形態の櫛付き容器１１を使用して髪に塗布した。この場合も操作性は良好で、塗布使用後の連通路１７にも詰まりが認められなかった。尚、毛髪脱色剤Ｂの第１剤及び第２剤それぞれの組成は表２に示す通りである。
【００３４】
【表２】
0004755335.tif 000003
（実施例３）
クリーム状の第１剤（粘度約３５０００ｃｐｓ）４０ｇと液状の第２剤（粘度約２０００ｃｐｓ）８０ｍｌと粉末状の第３剤２０ｇとが混合されてなる毛髪脱色剤Ｃを前記実施形態の櫛付き容器１１を使用して髪に塗布した。この場合も操作性は良好で、塗布使用後の連通路１７にも詰まりが認められなかった。尚、毛髪脱色剤Ｃの第１剤、第２剤及び第３剤それぞれの組成は表３に示す通りである。
【００３５】
【表３】
0004755335.tif 000004
（実施例４）
クリーム状の第１剤（粘度約２００００ｃｐｓ）４０ｇと液状の第２剤（粘度約１０００ｃｐｓ）８０ｍｌと粉末状の第３剤２０ｇとが混合されてなる毛髪脱色剤Ｄを前記実施形態の櫛付き容器１１を使用して髪に塗布した。この場合も操作性は良好で、塗布使用後の連通路１７にも詰まりが認められなかった。尚、毛髪脱色剤Ｄの第１剤、第２剤及び第３剤それぞれの組成は表４に示す通りである。
【００３６】
【表４】
0004755335.tif 000005
（実施例５）
液状の第１剤（粘度約１００ｃｐｓ）４０ｇと液状の第２剤（粘度約３０００ｃｐｓ）８０ｍｌと粉末状の第３剤２０ｇとが混合されてなる毛髪脱色剤Ｅを前記実施形態の櫛付き容器１１を使用して髪に塗布した。この場合も操作性は良好で、塗布使用後の連通路１７にも詰まりが認められなかった。尚、毛髪脱色剤Ｅの第１剤、第２剤及び第３剤それぞれの組成は表５に示す通りである。
【００３７】
【表５】
0004755335.tif 000006
（比較例１〜５）
比較例１〜５においては、図６に示す従来の櫛付き容器２１を使用して上述の毛髪脱色剤Ａ〜Ｅをそれぞれ髪に塗布した。尚、櫛付き容器２１の連通路２６の内径は１．２ｍｍである。この場合、いずれの例においてもスクイズ操作時に容器体２５を強く押圧する必要があり、操作性にやや難があった。また、塗布使用後の連通路２６の詰まり具合に関しては、毛髪脱色剤Ａを用いた比較例１の場合には２〜３割程度、それ以外の各例では５割程度の詰まりが認められたが、さらに続けて使用しても特に支障なかった。
【００３８】
（比較例６〜１０）
比較例６〜１０においては、図７に示すノズル式アプリケータ３１を使用して上述の毛髪脱色剤Ａ〜Ｅをそれぞれ髪に塗布した。尚、ノズル式アプリケータ３１の連通路３６の内径は、先端部においては１．５ｍｍ、基端部においては１０ｍｍである。この場合、いずれの例においてもスクイズ操作時に容器体３２を強く押圧する必要があり、操作性にやや難があった。また、塗布使用後の連通路３６の詰まり具合に関しては、８〜９割程度の詰まりが認められ、さらに続けての使用は困難であった。
【００３９】
尚、前記実施形態を次のように変更して構成することもできる。
・  前記実施形態では連通路１７の断面形状を楕円形状としたが、図４（ａ）に示すような菱形状、同（ｂ）に示すような長方形状、同（ｃ）に示すような角部がアールの略長方形状などとしてもよい。また、図示しないが、略楕円形状、長円形状、角部がアールの菱形状などでもよい。ただし、いずれの場合も、櫛歯１５の幅方向における連通路１７の長さ（内径）が、櫛歯１５の厚み方向における連通路１７の長さ（内径）よりも大きい。
【００４０】
・  前記実施形態では櫛歯１５を含めた櫛体１４が蓋体１３に対して一体に成形されるが、少なくとも一部の櫛歯１５を蓋体１３と別体に成形するようにしてもよい。例えば、図５（ａ）、（ｂ）に示す６枚の櫛歯１５を備えた櫛付き容器１１において、その左右両端に位置する２枚の櫛歯１５を除いた４枚の櫛歯１５を蓋体１３と別体に成形し、成形後に一体に形成するようにしてもよい。
【００４１】
・  前記実施形態では櫛歯１５の長手方向（図２の上下方向）において櫛歯１５の厚みがほぼ不変であるが、櫛通りが悪くならない程度であれば、例えば図５（ａ）に示すように、基端側（下方）に向かうほど若干厚みが増す構成でもよい。また、櫛歯１５間の間隔も前記実施形態では櫛歯１５の長手方向においてほぼ不変であるが、櫛通りが悪くならない程度であれば、例えば図５（ａ）に示すように、基端側に向かうほど櫛歯１５間の間隔が若干狭まる構成でもよい。
【００４２】
・  前記実施形態では櫛体１４を櫛歯１５が上向きに延びるタイプのもの（縦型コーム）としたが、櫛歯１５が横向きに延びるタイプのもの（横型コーム）に変更してもよい。尚、横型コームの場合、櫛歯１５の数は、操作性の点から１０〜１６枚が好ましい。
【００４３】
・  前記実施形態の櫛付き容器１１は、手で押し潰して毛髪化粧料を吐出させる、いわゆるスクイズ式の櫛付き容器１１であるが、いわゆるエアゾール式の櫛付き容器としてもよい。即ち、耐圧性を有する容器体１２内に加圧された状態の毛髪化粧料を封入しておき、押ボタンを押圧することによって弁が開いて毛髪化粧料が噴出される構成のものとしてもよい。
【００４４】
・  前記実施形態の容器体１２を、外容器と、外容器に内装される内容器とからなる二重容器としてもよい。この場合、内容器及び外容器は可撓性を有するように形成され、内容器に毛髪化粧料が収容される。また、外容器には、内容器と外容器の間の空間に空気を導入するための逆止弁が設けられる。このように構成すれば、外容器を押圧することによって内容器が潰れて吐出口から毛髪化粧料が吐出される。外容器の押圧を止めると、内容器と外容器の間の空間に逆止弁を通して外部から空気が導入され、その結果、外容器が元の形状に復元する一方で内容器は潰れた状態が維持される。このため、使用のたびに内容器は縮んでいき、毛髪化粧料を最後まで使い切ることができる。なお、内容器と外容器とを分離可能に構成し、少なくとも外容器を再利用できるようにしてもよい。
【００４５】
次に、前記実施形態から把握できる技術的思想について以下に記載する。
・  前記吐出口を複数の櫛歯に設けたことを特徴とする請求項１から請求項７のいずれか一項に記載の櫛付き容器。このように構成すれば、たとえ一部の櫛歯において連通路が完全に詰まって毛髪化粧料の吐出が不能となったとしても、他の櫛歯の吐出口から毛髪化粧料が吐出される限り、すぐに使用に支障をきたすというおそれはない。
【００４６】
【発明の効果】
本発明は、以上のように構成されているため、次のような効果を奏する。
請求項１に記載の発明によれば、櫛通りを良好に維持しつつ、連通路の詰まりを抑制することができる。
【００４７】
また、粉末状組成物を含んで構成される毛髪化粧料や高粘度の毛髪化粧料の場合においても毛髪化粧料の吐出を容易化することができる。
【００４８】
請求項２に記載の発明によれば、粉末状組成物を含んで構成される毛髪化粧料を容器体内に収容した櫛付き容器において、請求項１に記載の発明の効果を奏することができる。
【００４９】
請求項３に記載の発明によれば、過硫酸塩と水溶性高分子化合物の少なくとも一方を含有する毛髪化粧料を容器体内に収容した櫛付き容器において、請求項２に記載の発明の効果を奏することができる。
【００５０】
請求項４に記載の発明によれば、ともにＯ／Ｗ型乳化物である第１剤と第２剤とを含んで構成される毛髪化粧料を容器体内に収容した櫛付き容器において、請求項１に記載の発明の効果を奏することができる。
【００５１】
請求項５に記載の発明によれば、第１剤の粘度が８０００〜１０００００センチポアズで、第２剤の粘度が５０００センチポアズ以下である毛髪化粧料を容器体内に収容した櫛付き容器において、請求項４に記載の発明の効果を奏することができる。
【００５２】
請求項６に記載の発明によれば、第１剤が５重量％以上の高級アルコールを含むＯ／Ｗ型乳化物である毛髪化粧料を容器体内に収容した櫛付き容器において、請求項５に記載の発明の効果を奏することができる。
【図面の簡単な説明】
【図１】  実施形態における櫛付き容器を示す斜視図。
【図２】  （ａ）は櫛付き容器の要部を示す正断面図、（ｂ）は同じく要部を示す側断面図。
【図３】  （ａ）は図２（ａ）の３ａ−３ａ線における断面図、（ｂ）は（ａ）の一枚の櫛歯を拡大して示す平断面図。
【図４】  （ａ）〜（ｃ）は別の実施形態の櫛付き容器における櫛歯を拡大して示す平断面図。
【図５】  （ａ）は別の実施形態の櫛付き容器における要部を示す正断面図、（ｂ）は櫛歯を拡大して示す平断面図。
【図６】  （ａ）は従来の櫛付き容器の要部を示す正断面図、（ｂ）は櫛歯を拡大して示す平断面図。
【図７】  （ａ）はノズル式アプリケータを示す部分斜視図、（ｂ）は同じく部分正断面図。
【符号の説明】
１１…櫛付き容器、１２…容器体、１４…櫛体、１５…櫛歯、１６…吐出口、１７…連通路。
【図１】
0004755335.tif 000007
【図２】
0004755335.tif 000008
【図３】
0004755335.tif 000009
【図４】
0004755335.tif 000010
【図５】
0004755335.tif 000011
【図６】
0004755335.tif 000012
【図７】
0004755335.tif 000013